(57)【要約】【課題】マイクユニットを装着した外装や本体から発生した雑音を遮音するとともに、マイクユニットの組み立て作業において、組み立て部品数、組み立て作業工数を削減し、低コストのマイク取付装置を提供する。【解決手段】外装ケースは、貫通孔周辺から円周上のリブ形状を形成し、マイクケースは、外装ケースのリブ形状の最外周とその外周外側部分の内面のみをと接して覆うように形成され、マイクカプセルは、マイクケースの最内径の凹部に弾性をもって装着され、その装着部と外装ケースの内面と隙間を発生させることにより、マイクカプセルは浮動状態になっている。【選択図】        図１
2004229099.tif 000002
【特許請求の範囲】
【請求項１】
貫通孔が形成された外装カバーと、
音波を電気信号に変換するマイクカプセルと、
弾性部材によって形成され、前記マイクカプセルを前記外装カバーに取り付ける為のマイクケースとを有するマイク取付装置であって、
前記外装カバーは、前記貫通孔周辺から円周上のリブ形状を形成し、
前記マイクケースは、前記外装カバーのリブ形状の最外周および前記最外周の外側部分の内面のみに接して覆うように形成され、
前記マイクカプセルは、前記マイクケースの最内径の凹部に弾性接着剤をもって装着され、前記装着部分と前記外装カバーの内面との間に隙間を発生させることにより、前記マイクカプセルを浮動状態にすることを特徴とするマイク取付装置。
【請求項２】
前記マイクケースは、ゴムで形成することを特徴とする請求項１記載のマイク取付装置。
【請求項３】
前記マイクケースは、前記外装カバーのリブ形状の最外周のみに圧入されて固定されていることを特徴とする請求項１記載のマイク取付装置。
【請求項４】
前記マイクケースは、前記外装カバーのリブ形状の最外周の外側部分の内面と弾性接着剤を用いて固定されていることを特徴とする請求項１記載のマイク取付装置。
【請求項５】
前記マイクケースは、少なくとも１つの面に前記マイクカプセルからのリード線を挿通するリード線引き出し用の切り込みが形成されていることを特徴とする請求項１記載のマイク取付装置。
【請求項６】
貫通孔が形成された外装カバーに対し前記貫通孔周辺から円周上のリブ形状を形成し、
音波を電気信号に変換するマイクカプセルを前記外装カバーに取り付ける為に、マイクケースを弾性部材によって形成し、また、前記マイクケースを前記外装カバーのリブ形状の最外周および前記最外周の外側部分の内面のみに接して覆うように形成し、
前記マイクカプセルを前記マイクケースの最内径の凹部に弾性接着剤をもって装着し、前記装着部分と前記外装カバーの内面との間に隙間を発生させることにより、前記マイクカプセルを浮動状態にすることを特徴とするマイク取付方法。
【発明の詳細な説明】
【０００１】
【発明の属する技術分野】
本発明は、撮像装置の外装ユニットへのマイク取付装置およびマイク取付方法に関する。
【０００２】
【従来の技術】
従来、撮像装置に取り付けるマイクユニットは、撮像装置本体のシリンダ回転による振動音等の各種雑音のマイクユニットへの伝達を防ぐために、装置本体から独立したマイクユニットを本体の外装ケースに取り付けるマイク取付方法及びマイク取付装置が提案されている。
【０００３】
上記のような従来技術例として、マイクを直接保持するゴムホルダのマイク保持部近傍に貫通孔を設け、ゴムホルダの外側に剛体ホルダを配置し、互いに干渉することのない二重構造とする「マイク取付装置」がある（例えば、特許文献１参照）。また、マイクを直接保持するホルダ部に少なくとも２方向に突起部を設け、各突起部を剛性ホルダで指示するとともに、ホルダ部の開閉を剛性ホルダと連動させる「マイク取付装置」がある（例えば、特許文献２参照）。
【０００４】
【特許文献１】
特開平５−１３０４７３号公報
【特許文献２】
特開平５−１６５０９３号公報
【０００５】
【発明が解決しようとする課題】
しかしながら、上記従来の取付方法によるマイクユニットは、部品点数の増加や組み立て作業工数の増加により、マイクユニットの組み立て作業のコストが増大していた。
【０００６】
本発明は上記の問題に鑑みてなされたものであり、マイクユニットを装着した外装や撮像装置本体から発生した雑音を遮音するとともに、マイクユニットの組み立て作業において、組み立て部品数、組み立て作業工数を削減し、低コストのマイク取付装置およびマイク取付方法を提供することを目的とする。
【０００７】
【課題を解決するための手段】
かかる目的を達成するために、請求項１記載のマイク取付装置は、マイクケースのマイクカプセル装着部とマイクケースと外装カバーの装着部を多重構造とし分離させ、マイクカプセルを浮動状態にすることを特徴としている。
【０００８】
請求項２記載のマイク取付装置は、請求項１記載のマイク取付装置において、マイクケースの材料をゴムにすることを特徴としている。
【０００９】
請求項３記載のマイク取付装置は、請求項１記載のマイク取付装置において、マイクケースを外装カバーのリブ形状の最外周のみに圧入されて固定させることを特徴としている。
【００１０】
請求項４記載のマイク取付装置は、請求項１記載のマイク取付装置において、マイクケースを外装カバーのリブ形状の最外周の外側部分の内面とゴム系接着剤で固定させることを特徴としている。
【００１１】
請求項５記載のマイク取付装置は、請求項１記載のマイク取付装置において、マイクケースの背面にマイクカプセルからのリード線を挿通するリード線引き出し用の切り込みが形成され、リード線の開口孔を最小限にすることを特徴としている。
【００１２】
請求項６記載のマイク取付方法は、貫通孔が形成された外装カバーに対し、貫通孔周辺から円周上のリブ形状を形成し、音波を電気信号に変換するマイクカプセルを外装カバーに取り付ける為に、マイクケースを弾性部材によって形成し、また、マイクケースを外装カバーのリブ形状の最外周および最外周の外側部分の内面のみに接して覆うように形成し、マイクカプセルをマイクケースの最内径の凹部に弾性接着剤をもって装着し、装着部分と外装カバーの内面との間に隙間を発生させることにより、マイクカプセルを浮動状態にすることを特徴としている。
【００１３】
【発明の実施の形態】
以下、本発明の実施の形態について添付図面を参照にしながら、詳細に説明する。
【００１４】
図１は、本発明のマイク取付装置である外装ユニットを示す断面図である。外装ケースは、貫通孔周辺から円周上のリブ形状を形成し、マイクケースは、外装ケースのリブ形状の最外周とその外周外側部分の内面のみをと接して覆うように形成され、マイクカプセルは、マイクケースの最内径の凹部に弾性をもって装着され、その装着部と外装ケースの内面と隙間を発生させることにより、マイクカプセルは浮動状態になっている。また、マイクケースを外装カバーのリブ形状の最外周の外側部分の内面とゴム系接着剤で固定させることにより、マイクカプセルに伝わる雑音を遮断している。
【００１５】
図２は、本発明の外装ユニットを示す斜視図である。マイクケースの背面にマイクカプセルからのリード線を挿通するリード線引き出し用の切り込みを形成し、リード線の開口孔を最小限にすることにより、マイクカプセルに伝わる雑音を遮音している。
【００１６】
【発明の効果】
以上の説明から明らかなように、請求項１記載のマイク取付装置によれば、マイクケースのマイクカプセル装着部とマイクケースと外装カバーの装着部を多重構造とし分離させ、マイクカプセルを浮動状態にすることにより、マイクカプセルに伝わる各種雑音の伝達を防ぐ効果を高めることができる。
【００１７】
請求項２記載のマイク取付装置によれば、請求項１記載のマイク取付装置において、マイクケースの材料をゴムにすることで、低コストにすることができる。
【００１８】
請求項３記載のマイク取付装置によれば、請求項１記載のマイク取付装置において、マイクケースを外装カバーのリブ形状の最外周のみに圧入されて固定させることにより、組み立て作業工数を削減することができる。
【００１９】
請求項４記載のマイク取付装置によれば、請求項１記載のマイク取付装置において、マイクケースを外装カバーのリブ形状の最外周の外側部分の内面とゴム系接着剤で固定させることにより、マイクカプセルに伝わる各種雑音の伝達を防ぐ効果を高めることができる。
【００２０】
請求項５記載のマイク取付装置によれば、請求項１記載のマイク取付装置において、マイクケースの背面にマイクカプセルからのリード線を挿通するリード線引き出し用の切り込みが形成され、リード線の開口孔を最小限にすることにより、マイクカプセルに伝わる各種雑音の伝達を防ぐ効果を高めることができる。
【００２１】
請求項６記載のマイク取付方法は、貫通孔が形成された外装カバーに対し、貫通孔周辺から円周上のリブ形状を形成し、音波を電気信号に変換するマイクカプセルを外装カバーに取り付ける為に、マイクケースを弾性部材によって形成し、また、マイクケースを外装カバーのリブ形状の最外周および最外周の外側部分の内面のみに接して覆うように形成し、マイクカプセルをマイクケースの最内径の凹部に弾性接着剤をもって装着し、装着部分と外装カバーの内面との間に隙間を発生させることにより、マイクカプセルを浮動状態にすることを特徴としているので、マイクカプセルに伝わる各種雑音の伝達を防ぐ効果を高めることができる。
【図面の簡単な説明】
【図１】本発明のマイク取付装置の実施例である外装ユニットを示す断面図である。
【図２】本発明のマイク取付装置の実施例である外装ユニットを示す斜視図である。
【符号の説明】
１  外装カバー
２  貫通孔
３  ゴム系接着剤
４  マイクケース
５  リード線
６  マイクカプセル
７  ゴム系接着剤
８  マイクカプセルの切り込み
【図１】
2004229099.tif 000003
【図２】
2004229099.tif 000004